(57)【要約】【課題】  浴室等の室内のコーナー位置において、防水性が高い状態で、壁パネルを、簡単、迅速に連結できるようにする。【解決手段】  室内のコーナー位置において隣り合う壁パネル１の連結側の側部の裏面に、側部に沿って柱材２を上下方向に取り付ける。この柱材２同士をバック材４で接続すると共に、壁パネル１の室内側の隅部に生じる隙間Ｓを目地材５で閉塞して壁パネル１を平面視でL字形に連結する。上記のバック材４を柱材２の裏面に嵌合させて取り付ける。上記の壁パネル１の連結側の側端面１ａと、この側端面１ａと対向するバック材４の正面視左右側位置の対向面部４２との間に、シールド部材６を室内側から差し込む。【選択図】      図１
2008202272.tif 000002
【特許請求の範囲】
【請求項１】
室内のコーナー位置において隣り合う壁パネルの連結側の側部の裏面に、側部に沿って柱材が上下方向に取り付けられ、この柱材同士がバック材で接続されると共に、壁パネルの室内側の隅部に生じる隙間が目地材で閉塞されて壁パネルが平面視でL字形に連結される壁パネルのコーナー連結構造であって、上記のバック材が柱材の裏面に嵌合されて取り付けられ、上記の壁パネルの連結側の側端面と、この側端面と対向するバック材の正面視左右側位置の対向面部との間に、シールド部材が室内側から差し込まれていることを特徴とする壁パネルのコーナー連結構造。
【請求項２】
請求項１記載の壁パネルのコーナー連結構造であって、バック材が、目地材と対向する表面位置に、目地材の差込部が嵌め込まれる樹脂製の雌部材を備えて形成されていることを特徴とする壁パネルのコーナー連結構造。
【請求項３】
請求項２記載の壁パネルのコーナー連結構造であって、雌部材が、バック材の正面視左右側位置の対向面部に重ね合わされる延長片を備えて形成されていることを特徴とする壁パネルのコーナー連結構造。
【請求項４】
請求項２又は３記載の壁パネルのコーナー連結構造であって、雌部材が、目地材の差込部を左右から復元力で挟持する一対の挟持片を備えて形成され、この挟持片の先端部の内側に目地材の抜脱を防止するための係合爪が形成されていることを特徴とする壁パネルのコーナー連結構造。
【請求項５】
請求項１乃至４の何れかに記載の壁パネルのコーナー連結構造であって、シールド部材の頭部に止水用のひれが形成されていることを特徴とする壁パネルのコーナー連結構造。
【請求項６】
請求項５記載の壁パネルのコーナー連結構造であって、目地材の頭部の裏面に、シールド部材の頭部に密着する止水用のひれ片が形成されていることを特徴とする壁パネルのコーナー連結構造。
【発明の詳細な説明】
【技術分野】
【０００１】
本発明は、壁パネルのコーナー連結構造に関し、更に詳しくは浴室やシャワールーム等の側壁を形成する壁パネルを、平面視で鉤形に連結するための壁パネルのコーナー連結構造に関するものである。
【背景技術】
【０００２】
従来この種の構造としては、例えば壁パネルの側部が、室外方向に直角に折り曲げられると共に、壁パネルの内方に、くの字状に折り曲げられて折り曲げ係止部に形成され、防水パンの隅に立てる支柱の、開口部を挟んだ左右側が一対の係止部に形成されているものがある（例えば特許文献１の図１４参照）。
この従来構造は、壁パネルの折り曲げ係止部が、支柱の開口部に、室内側から押し込まれて支柱の係止部に係止され、壁パネルの突き合せ部に、室内側から化粧目地材が嵌め込まれることを特徴としている。
【０００３】
而してこの従来構造は、化粧目地材の差し込みだけで壁パネルを支柱に押し付けるものであったから、これによると振動や衝撃等に弱く、壁パネルを長期間にわたって安定した状態で固定、連結できない、という問題点があった。
またこの従来例は、化粧目地材の差込部の付け根の位置が、壁パネルの折り曲げ係止部の室内側の角部に接触する構造であった。従ってこれによると、コーナーの止水性（防水性）が不充分で、気密性、水密性が低下し易い、という問題点があった。
【０００４】
また従来、この種の構造としては、特許文献２に記載されているものがある。この従来構造は、コーナー支柱の下部を防水床にビスで固定し、コーナー支柱の凹部にインナー目地を室内側から嵌め込み、直交する壁パネルの表面隅部の隙間に、コーキング材を見栄えの良い状態で充填できるようにしているものである。
而してこの従来構造は、コーナー支柱を防水床にビス止めするため防水床を傷め、ネジやネジ回しを必要とし、また改築時はネジを外してからでないと解体できない、という問題点があった。またこの発明は、壁パネルの表面隅部の隙間に、コーキング材を均等の幅で綺麗に塗り込むことを目的としているものであったから、これによるとインナー目地の取り付けだけではコーナーの連結が完了しなかった。
【特許文献１】特開平１１−２８７０５１号公報（図１４参照）
【特許文献２】特許第３８５６１７５号公報
【発明の開示】
【発明が解決しようとする課題】
【０００５】
本発明は、このような従来技術の問題点に鑑み、提案されたものである。
従って本発明の解決しようとする技術的課題は、浴室等の室内のコーナー位置において、防水性が高い状態で、壁パネルを、簡単、迅速に連結できるよう形成した壁パネルのコーナー連結構造を提供することにある。
【課題を解決するための手段】
【０００６】
本発明は、上記の課題を解決するため、次のような技術的手段を採る。
即ち本発明は、図１等に示されるように、室内のコーナー位置において隣り合う壁パネル１の連結側の側部の裏面に、側部に沿って柱材２が上下方向に取り付けられ、この柱材２同士がバック材４で接続されると共に、壁パネル１の室内側の隅部に生じる隙間Ｓが目地材５で閉塞されて壁パネル１が平面視でL字形に連結される壁パネル１のコーナー連結構造であって、上記のバック材４が柱材２の裏面に嵌合されて取り付けられ、上記の壁パネル１の連結側の側端面１ａと、この側端面１ａと対向するバック材４の正面視左右側位置の対向面部４２との間に、シールド部材６が室内側から差し込まれていることを特徴とする（請求項１）。
【０００７】
ここで、バック材４が柱材２の裏面に嵌合されて取り付けられ、とは、バック材４がネジ等の固着手段によるのではなく、着脱可能の状態で柱材２に固定される、ということを意味する。具体的には、例えば図１Bに示されるように、柱材２の裏面のダルマ孔３に、バック材４の嵌合用凸部４ａが差し込まれ、バック材４を例えば引き摺り下ろすことで凸部４ａの首部４ｂがダルマ孔３のスリット状の切欠き３ｂに係合されることで実現される。またここで、シールド部材６とは、気密性、水密性を図ることができる部材を意味する。
【０００８】
而して本発明は、図６等に示されるように、バック材４が、目地材５と対向する表面位置に、目地材５の差込部５ｂが嵌め込まれる樹脂製の雌部材７を備えて形成されているのが好ましい（請求項２）。
なぜならこれによると、雌部材７が樹脂製のため、同様に樹脂材で形成されるのが通例である目地材５との相性が良くなり、目地材５を雌部材７にピタッと密着させて嵌合させることができるからである。
【０００９】
また本発明は、雌部材７が、バック材４の正面視左右側位置の対向面部４２に重ね合わされる延長片７ａを備えて形成されているのが好ましい（請求項３）。
なぜならこれによると、シールド部材６の差し込み操作によって雌部材７を固定でき、雌部材７をバック材４に個別に固定する手間暇を一掃できるからである。
【００１０】
またこの場合本発明は、雌部材７が、目地材５の差込部５ｂを左右から復元力で挟持する一対の挟持片７ｂを備えて形成され、この挟持片７ｂの先端部の内側に目地材５の抜脱を防止するための係合爪７ｃが形成されているのが好ましい（請求項４）。
なぜならこれによると、目地材５を確実、堅固にバック材４に固定できるからである。
【００１１】
またこの場合本発明は、図１等に示されるように、シールド部材６の頭部６ａに止水用のひれ６ｂが形成されているのが好ましい（請求項５）。
なぜならこれによると、壁パネル１の連結箇所の気密性、水密性が良くなるからである。この場合、ひれ６ｂは、目地材５と協働してより高いシールド効果を得られるよう、目地材５の頭部５ａの裏面に密着するよう、長く延ばされて形成されているのが良い。
【００１２】
更に本発明は、目地材５の頭部５ａの裏面に、シールド部材６の頭部６ａに密着する止水用のひれ片５ｄが形成されているのが好ましい（請求項６）。
なぜならこれによると、気密性、水密性を一層向上させることができるからである。
【発明の効果】
【００１３】
本発明は、このように構成されているから、これによればバック材によって壁パネルを平面視で鉤形に簡単、迅速に連結できる。
また本発明は、壁パネルの側端面と、この側端面と対向するバック材の正面視左右側位置の対向面部との間に、シールド部材が差し込まれている。従ってこれによれば、室内のコーナー位置の気密性、水密性を高く、また確実に確保できる。
【発明を実施するための最良の形態】
【００１４】
以下、本発明を実施するための最良の形態を説明する。
本発明は、図１等に示されるように、室内のコーナー位置において隣り合う壁パネル１を平面視でL字形に連結する壁パネル１のコーナー連結構造である。２は、角筒形の柱材である。この柱材２は、各壁パネル１の連結側の側部の裏面に、側部に沿って上下方向に取り付けられている。
【００１５】
上記の柱材２は、金属材で形成され、その裏面にダルマ孔３が形成されている。このダルマ孔３は、この実施形態では大径の孔３ａと、その上下位置の縦スリット状の切欠き３ｂとで形成されている。大径の孔３ａには、バック材４の嵌合用凸部４ａが差し入れられ、切欠き３ｂには、嵌合用凸部４ａの首部４ｂが係合される。
【００１６】
バック材４は、メッキ鋼板等の金属板が曲げられて形成されている。壁パネル１は、バック材４の嵌合用凸部４ａが大径の孔３ａに差し入れられた後、バック材４が例えば引き摺り下ろされることにより、柱材２に跨った状態で柱材２の裏面に嵌合され、バック材４を介して接続される。またバック材４は、目地材５と対向する表面位置に、嵌合用雌部４１が形成されている。この嵌合用雌部４１は、入口が狭く奥になるほど側面が末広がりになるよう平面視で蟻溝状に形成されている。またバック材４は、嵌合用雌部４１に連ねて、壁パネル１の連結側の側端面１ａ（本実施形態では、壁パネル１の表面材と柱材２の側面とで構成される）に対向する対向面部４２を、正面視で左右側位置に備えて、左右線対称状に形成されている。
【００１７】
壁パネル１の室内側の隅部に生じる隙間Ｓを閉塞する上記の目地材５は、頭部５ａが円弧状に凹まれている。この頭部５ａの左右の側部は、壁パネル１の表面に密着するよう柔軟質に形成されている。またバック材４の嵌合用雌部４１に嵌め込まれる差込部５ｂは、左右一対の差込片状に形成され、この差込部５ｂの外面には嵌合用雌部４１に密着する嵌合ひれ５ｃが縦方向（上下方向）に延びて左右対称状に複数形成されている。差込部５ｂは、その先端の外面が内方に湾曲され、嵌合用雌部４１の口に差し込み易くなるよう形成されている。また目地材５は、頭部５ａの裏面の、この実施形態では正面視左右側位置に、シールド部材６の頭部６ａに密着する止水用のひれ片５ｄが形成されている。
【００１８】
シールド部材６は、壁パネル１の連結側の側端面１ａと、この側端面１ａに対向するバック材４の対向面部４２との間に、室内側から差し込まれる。このシールド部材６は、その頭部６ａに、目地材５の裏面に密着する止水用のひれ６ｂが形成されている。またシールド部材６は、軸部６ｃの両側に、左右一対のひれ部６ｄが複数対、縦方向に延びて形成されている（図３参照）。このひれ部６ｄは、軟質性に形成され、壁パネル１の側端面１ａとバック材４の対向面部４２とに密着し、この箇所をシールドする。
【００１９】
次に本発明における壁パネル１の連結例を説明する。
作業者は、先ず、図１Bに示されるように、柱材２のダルマ孔３にバック材４の嵌合用凸部４ａを差し入れて、バック材４を例えば引き摺り下ろし、柱材２に跨がせて取り付ける（図１A参照）。次に作業者は、図３に示されるように、室内側（壁パネル１の前側）から、壁パネル１の連結側の側端面１ａと、この側端面１ａに対向するバック材４の対向面部４２との間に、シールド部材６を差し込む。これによりシールド部材６のひれ部６ｄが隙間に密着し、この箇所が止水される。
【００２０】
次に作業者は、図１A、図４に示されるように、室内側から、目地材５をバック材４の嵌合用雌部４１に差し込む。目地材５は、差し込まれるのに連れ、差込部５ｂが嵌合用雌部４１の入口で内方に押し込まれて撓み、その後、嵌合用雌部４１内で次第に復元し、嵌合ひれ５ｃが嵌合用雌部４１の内面に密着して嵌合される。これにより隙間Ｓが目地材５の頭部５ａで閉塞され、頭部５ａの裏面のひれ片５ｄと、シールド部材６の頭部６ａのひれ６ｂによって二重に止水される。本発明は、これにより壁パネル１が平面視でL字形に連結されるものである（図５参照）。
【００２１】
以上の処において、本発明は、図６〜図１０に示されるように、バック材４が、目地材５と対向する表面位置に、目地材５の差込部５ｂが嵌め込まれる樹脂製の雌部材７を備えて形成されているのでも良い。上例と同一部材、同一箇所には、同一の符号を付し、詳しい説明は省略する。
【００２２】
而してこの実施形態の雌部材７は、バック材４の正面視左右側位置の対向面部４２に重ね合わされる延長片７ａを備えて形成されている。またこの雌部材７は、目地材５の差込部５ｂを左右から復元力で挟持する一対の挟持片７ｂを備えて形成され、この挟持片７ｂの先端部の内側に目地材５の抜脱を防止するための係合爪７ｃが形成されている。目地材５の差込部５ｂは、この実施形態では図６等に示されるように、平面視で外側にくの字形に屈曲され、左右線対称状に形成されている。なお上例の目地材５の頭部５ａのひれ片５ｄは、この実施形態では省略されている。
【００２３】
この本発明の場合は、雌部材７をバック材４の表面側に重合させ（図７参照）、シールド部材６を壁パネル１の側端面１ａとバック材４の正面視左右側位置の対向面部４２との間に差し込むことにより（図８参照）、この箇所がシールドされると共に、雌部材７が固定される。次に、図６、図９に示されるように、目地材５が雌部材７に差し込まれると、くの字形の差込部５ｂによって挟持片７ｂの先端が外側に押し拡げられ、目地材５が更に差し込まれると挟持片７ｂが内方に復元して、係合爪７ｃが目地材５の差込部５ｂの付け根の位置に配置され、差込部５ｂが雌部材７に銜え込まれるように係合される。そしてこれにより、壁パネル１が平面視でL字形に連結される（図１０参照）。なおバック材４の取り付けの仕方等は、上例と同様である。
【図面の簡単な説明】
【００２４】
【図１】本発明の構造の好適な一実施形態を示し、Aは壁パネルの連結の仕方を説明するための平面図、Bはバック材と柱材の嵌合例を説明するための要部斜視図である。
【図２】壁パネルの連結の仕方を説明するための要部平面図である。
【図３】壁パネルの連結の仕方を説明するための要部平面図である。
【図４】壁パネルの連結の仕方を説明するための要部斜視図である。
【図５】同上構造の連結時の要部平面図である。
【図６】同上構造の他の実施形態を示す要部平面図である。
【図７】図６の実施形態の連結の仕方を説明するための要部平面図である。
【図８】図６の実施形態の連結の仕方を説明するための要部平面図である。
【図９】図６の実施形態の連結の仕方を説明するための要部斜視図である。
【図１０】図６の実施形態の連結時の要部平面図である。
【符号の説明】
【００２５】
１    壁パネル
１ａ  側端面
２    柱材
３    ダルマ孔
４    バック材
４２  対向面部
５    目地材
６    シールド部材
７    雌部材
Ｓ    隙間
【図１】
2008202272.tif 000003
【図２】
2008202272.tif 000004
【図３】
2008202272.tif 000005
【図４】
2008202272.tif 000006
【図５】
2008202272.tif 000007
【図６】
2008202272.tif 000008
【図７】
2008202272.tif 000009
【図８】
2008202272.tif 000010
【図９】
2008202272.tif 000011
【図１０】
2008202272.tif 000012